(57)【要約】【課題】  利用者の注意を広告に引き付け、広告の効果を最大限に発揮させる。【解決手段】  登録部１０２は、通知を希望するイベントをユーザ端末２００から受け付け、確認部１０３は、受け付けたイベントに対応する広告情報をユーザ端末２００に送信して確認させる。マッチングテーブル１１４は、通知するイベントと広告情報とを対応付ける対応情報を格納する。イベント認知部１０４は、通知すべきイベントの発生を認知し、マッチング部１０５は、認知されたイベントに対応付けられている広告情報をマッチングテーブル１１４を参照して特定する。配信制御部１０６は、認知されたイベントをユーザ端末２００へ通知する処理の代わりに、特定された広告情報を広告情報格納部１１３から取り出し、通信網３００経由でユーザ端末２００へ配信する。ユーザ端末２００の利用者は、配信された広告情報から通知されたイベントを認識する。【選択図】 図３
2005156732.tif 000002
【特許請求の範囲】
【請求項１】
サーバ端末から通信網を介してユーザ端末へイベントを通知する処理の代わりに、通知する前記イベントに対応する広告情報を前記サーバ端末から前記ユーザ端末へ配信する広告配信方法において、
前記サーバ端末の登録手段が、通知を希望するイベントを前記ユーザ端末から受け付けるステップと、
前記サーバ端末の確認手段が、前記登録手段によって受け付けたイベントに対応する広告情報を前記ユーザ端末に送信して確認させるステップと、
を含むことを特徴とする広告配信方法。
【請求項２】
前記登録手段は、イベントと広告情報またはそのタイトルの組みの一覧を前記ユーザ端末に送り、通知を希望するイベントと広告情報の組の選択を前記ユーザ端末から受け付けることを特徴とする請求項１記載の広告配信方法。
【請求項３】
前記サーバ端末の登録手段が、広告情報の一覧を前記ユーザ端末に送り、前記受け付けたイベントに対応する広告情報の選択を前記ユーザ端末から受け付けるステップ、
を更に含むことを特徴とする請求項１記載の広告配信方法。
【請求項４】
前記サーバ端末の広告枠管理部が、広告枠を生成して広告主に広告枠を販売するステップを更に含み、前記広告情報の一覧は、前記広告枠に広告情報またはそのタイトルを表示させたものである請求項３記載の広告配信方法。
【請求項５】
広告情報またはそのタイトルをユーザ端末に送信したログをログ格納部に保存するステップと、
前記ログ格納部に保存されたログに基づいて、広告主に請求する広告料金および該広告料金の前記ユーザ端末の利用者への還元料を計算するステップと、
を含むことを特徴とする請求項４記載の広告配信方法。
【請求項６】
広告枠の販売ログおよび広告情報またはそのタイトルをユーザ端末に送信したログをログ格納部に保存するステップと、
前記ログ格納部に保存されたログに基づいて、広告主に請求する広告料金および該広告料金の前記ユーザ端末の利用者への還元料を計算するステップと、
を含むことを特徴とする請求項４記載の広告配信方法。
【請求項７】
サーバ端末の登録手段が、通知を希望するイベントをユーザ端末から通信網経由で受け付けるステップと、
前記登録手段が、広告情報の一覧を通信網経由で前記ユーザ端末に送って表示させ、前記受け付けたイベントに対応する広告情報を前記ユーザ端末の利用者に選択させるステップと、
前記サーバ端末の確認手段が、前記選択された広告情報を確認のために通信網経由で前記ユーザ端末に送って表示させるステップと、
前記登録手段が、前記受け付けたイベントと前記選択された広告情報との組み合わせを前記ユーザ端末の情報と共にマッチングテーブルに登録するステップと、
前記サーバ端末のイベント認知手段が、前記イベントの発生を認知するステップと、
前記サーバ端末のマッチング手段が、前記認知されたイベントに対応する広告情報が前記マッチングテーブルに登録されているユーザ端末が存在するかどうかを調べるステップと、
前記サーバ端末の配信制御手段が、前記認知されたイベントに対応する広告情報が前記マッチングテーブルに登録されているユーザ端末に対して、前記認知したイベントを通知する処理の代わりに、前記イベントに対応する広告情報を配信するステップと、
を含むことを特徴とする広告配信方法。
【請求項８】
サーバ端末の登録手段が、通知を希望するイベントをユーザ端末から通信網経由で受け付けるステップと、
前記登録手段が、広告情報の一覧を通信網経由で前記ユーザ端末に送って表示させ、その表示ログを表示ログ格納部に格納し、前記受け付けたイベントに対応する広告情報を前記ユーザ端末の利用者に選択させるステップと、
前記サーバ端末の確認手段が、前記選択された広告情報を確認のために通信網経由で前記ユーザ端末に送って表示させ、その選択ログを選択ログ格納部に格納するステップと、
前記登録手段が、前記受け付けたイベントと前記選択された広告情報との組み合わせを前記ユーザ端末の情報と共にマッチングテーブルに登録するステップと、
前記サーバ端末のイベント認知手段が、前記イベントの発生を認知するステップと、
前記サーバ端末のマッチング手段が、前記認知されたイベントに対応する広告情報が前記マッチングテーブルに登録されているユーザ端末が存在するかどうかを調べるステップと、
前記サーバ端末の配信制御手段が、前記認知されたイベントに対応する広告情報が前記マッチングテーブルに登録されているユーザ端末に対して、前記認知したイベントを通知する処理の代わりに、前記イベントに対応する広告情報を配信し、その配信ログを配信ログ格納部に格納するステップと、
前記表示ログ格納部、前記選択ログ格納部および前記配信ログ格納部に保存されたログに基づいて、広告主に請求する広告料金および該広告料金の前記ユーザ端末の利用者への還元料を計算するステップと、
を含むことを特徴とする広告配信方法。
【請求項９】
サーバ端末の広告枠管理部が、広告枠を生成して広告主に広告枠を販売し、販売した広告枠に広告情報を割り当て、販売ログを販売ログ格納部に格納するステップと、
サーバ端末の登録手段が、通知を希望するイベントをユーザ端末から通信網経由で受け付けるステップと、
前記登録手段が、前記広告枠に広告情報またはそのタイトルを表示させた広告情報の一覧を通信網経由で前記ユーザ端末に送って表示させ、その表示ログを表示ログ格納部に格納し、前記受け付けたイベントに対応する広告情報を前記ユーザ端末の利用者に選択させるステップと、
前記サーバ端末の確認手段が、前記選択された広告情報を確認のために通信網経由で前記ユーザ端末に送って表示させ、その選択ログを選択ログ格納部に格納するステップと、
前記登録手段が、前記受け付けたイベントと前記選択された広告情報との組み合わせを前記ユーザ端末の情報と共にマッチングテーブルに登録するステップと、
前記サーバ端末のイベント認知手段が、前記イベントの発生を認知するステップと、
前記サーバ端末のマッチング手段が、前記認知されたイベントに対応する広告情報が前記マッチングテーブルに登録されているユーザ端末が存在するかどうかを調べるステップと、
前記サーバ端末の配信制御手段が、前記認知されたイベントに対応する広告情報が前記マッチングテーブルに登録されているユーザ端末に対して、前記認知したイベントを通知する処理の代わりに、前記イベントに対応する広告情報を配信し、その配信ログを配信ログ格納部に格納するステップと、
前記販売ログ格納部、前記表示ログ格納部、前記選択ログ格納部および前記配信ログ格納部に保存されたログに基づいて、広告主に請求する広告料金および該広告料金の前記ユーザ端末の利用者への還元料を計算するステップと、
を含むことを特徴とする広告配信方法。
【請求項１０】
サーバ端末から通信網を介してユーザ端末へイベントを通知する処理の代わりに、通知する前記イベントに対応する広告情報を前記サーバ端末から前記ユーザ端末へ配信する広告配信システムにおいて、
前記サーバ端末は、通知を希望するイベントを前記ユーザ端末から受け付ける登録手段と、前記登録手段によって受け付けたイベントに対応する広告情報を前記ユーザ端末に送信して確認させる確認手段とを備えることを特徴とする広告配信システム。
【請求項１１】
前記登録手段は、イベントと広告情報またはそのタイトルの組みの一覧を前記ユーザ端末に送り、通知を希望するイベントと広告情報の組の選択を前記ユーザ端末から受け付けるものであることを特徴とする請求項１０記載の広告配信システム。
【請求項１２】
前記登録手段は、広告情報の一覧を前記ユーザ端末に送り、前記受け付けたイベントに対応する広告情報の選択を前記ユーザ端末から受け付けるものであることを特徴とする請求項１０記載の広告配信システム。
【請求項１３】
前記サーバ端末は、広告枠を生成して広告主に広告枠を販売する広告枠管理手段を備え、前記広告情報の一覧は、前記広告枠に広告情報またはそのタイトルを表示させたものである請求項１２記載の広告配信システム。
【請求項１４】
前記サーバ端末は、広告情報またはそのタイトルをユーザ端末に送信したログを格納するログ格納部と、前記ログ格納部に保存されたログに基づいて、広告主に請求する広告料金および該広告料金の前記ユーザ端末の利用者への還元料を計算する計算手段とを備えることを特徴とする請求項１３記載の広告配信システム。
【請求項１５】
前記サーバ端末は、広告枠の販売ログおよび広告情報またはそのタイトルをユーザ端末に送信したログを格納するログ格納部と、前記ログ格納部に保存されたログに基づいて、広告主に請求する広告料金および該広告料金の前記ユーザ端末の利用者への還元料を計算する計算手段とを備えることを特徴とする請求項１３記載の広告配信システム。
【請求項１６】
サーバ端末から通信網を介してユーザ端末へイベントを通知する処理の代わりに、通知する前記イベントに対応する広告情報を前記サーバ端末から前記ユーザ端末へ配信する広告配信システムにおいて、
前記サーバ端末は、
通知を希望するイベントをユーザ端末から通信網経由で受け付け、広告情報の一覧を通信網経由で前記ユーザ端末に送って表示させ、前記受け付けたイベントに対応する広告情報を前記ユーザ端末の利用者に選択させ、前記受け付けたイベントと前記選択された広告情報との組み合わせを前記ユーザ端末の情報と共にマッチングテーブルに登録する登録手段と、
前記選択された広告情報を確認のために通信網経由で前記ユーザ端末に送って表示させる確認手段と、
前記イベントの発生を認知するイベント認知手段と、
前記認知されたイベントに対応する広告情報が前記マッチングテーブルに登録されているユーザ端末が存在するかどうかを調べるマッチング手段と、
前記サーバ端末の配信制御手段が、前記認知されたイベントに対応する広告情報が前記マッチングテーブルに登録されているユーザ端末に対して、前記認知したイベントを通知する処理の代わりに、前記イベントに対応する広告情報を配信する配信制御手段と、
を備えることを特徴とする広告配信システム。
【請求項１７】
サーバ端末から通信網を介してユーザ端末へイベントを通知する処理の代わりに、通知する前記イベントに対応する広告情報を前記サーバ端末から前記ユーザ端末へ配信する広告配信システムにおいて、
前記サーバ端末は、
通知を希望するイベントをユーザ端末から通信網経由で受け付け、広告情報の一覧を通信網経由で前記ユーザ端末に送って表示させ、その表示ログを表示ログ格納部に格納し、前記受け付けたイベントに対応する広告情報を前記ユーザ端末の利用者に選択させ、前記受け付けたイベントと前記選択された広告情報との組み合わせを前記ユーザ端末の情報と共にマッチングテーブルに登録する登録手段と、
前記選択された広告情報を確認のために通信網経由で前記ユーザ端末に送って表示させ、その選択ログを選択ログ格納部に格納する確認手段と、
前記イベントの発生を認知するイベント認知手段と、
前記認知されたイベントに対応する広告情報が前記マッチングテーブルに登録されているユーザ端末が存在するかどうかを調べるマッチング手段と、
前記サーバ端末の配信制御手段が、前記認知されたイベントに対応する広告情報が前記マッチングテーブルに登録されているユーザ端末に対して、前記認知したイベントを通知する処理の代わりに、前記イベントに対応する広告情報を配信し、その配信ログを配信ログ格納部に格納する配信制御手段と、
前記表示ログ格納部、前記選択ログ格納部および前記配信ログ格納部に保存されたログに基づいて、広告主に請求する広告料金および該広告料金の前記ユーザ端末の利用者への還元料を計算する計算手段と、
を備えることを特徴とする広告配信システム。
【請求項１８】
サーバ端末から通信網を介してユーザ端末へイベントを通知する処理の代わりに、通知する前記イベントに対応する広告情報を前記サーバ端末から前記ユーザ端末へ配信する広告配信システムにおいて、
前記サーバ端末は、
広告枠を生成して広告主に広告枠を販売し、販売した広告枠に広告情報を割り当て、販売ログを販売ログ格納部に格納する広告枠管理手段と、
通知を希望するイベントをユーザ端末から通信網経由で受け付け、前記広告枠に広告情報またはそのタイトルを表示させた広告情報の一覧を通信網経由で前記ユーザ端末に送って表示させ、その表示ログを表示ログ格納部に格納し、前記受け付けたイベントに対応する広告情報を前記ユーザ端末の利用者に選択させ、前記受け付けたイベントと前記選択された広告情報との組み合わせを前記ユーザ端末の情報と共にマッチングテーブルに登録する登録手段と、
前記選択された広告情報を確認のために通信網経由で前記ユーザ端末に送って表示させ、その選択ログを選択ログ格納部に格納する確認手段と、
前記イベントの発生を認知するイベント認知手段と、
前記認知されたイベントに対応する広告情報が前記マッチングテーブルに登録されているユーザ端末が存在するかどうかを調べるマッチング手段と、
前記サーバ端末の配信制御手段が、前記認知されたイベントに対応する広告情報が前記マッチングテーブルに登録されているユーザ端末に対して、前記認知したイベントを通知する処理の代わりに、前記イベントに対応する広告情報を配信し、その配信ログを配信ログ格納部に格納する配信制御手段と、
前記販売ログ格納部、前記表示ログ格納部、前記選択ログ格納部および前記配信ログ格納部に保存されたログに基づいて、広告主に請求する広告料金および該広告料金の前記ユーザ端末の利用者への還元料を計算する計算手段と、
を備えることを特徴とする広告配信システム。
【請求項１９】
通信網を介してユーザ端末へイベントを通知する処理の代わりに、通知する前記イベントに対応する広告情報を前記ユーザ端末へ配信するサーバ端末において、
通知を希望するイベントを前記ユーザ端末から受け付ける登録手段と、前記登録手段によって受け付けたイベントに対応する広告情報を前記ユーザ端末に送信して確認させる確認手段とを備えることを特徴とするサーバ端末。
【請求項２０】
前記登録手段は、イベントと広告情報またはそのタイトルの組みの一覧を前記ユーザ端末に送り、通知を希望するイベントと広告情報の組の選択を前記ユーザ端末から受け付けるものであることを特徴とする請求項１９記載のサーバ端末。
【請求項２１】
前記登録手段は、広告情報の一覧を前記ユーザ端末に送り、前記受け付けたイベントに対応する広告情報の選択を前記ユーザ端末から受け付けるものであることを特徴とする請求項１９記載のサーバ端末。
【請求項２２】
広告枠を生成して広告主に広告枠を販売する広告枠管理手段を備え、前記広告情報の一覧は、前記広告枠に広告情報またはそのタイトルを表示させたものである請求項２１記載のサーバ端末。
【請求項２３】
広告情報またはそのタイトルをユーザ端末に送信したログを格納するログ格納部と、前記ログ格納部に保存されたログに基づいて、広告主に請求する広告料金および該広告料金の前記ユーザ端末の利用者への還元料を計算する計算手段とを備えることを特徴とする請求項２２記載のサーバ端末。
【請求項２４】
広告枠の販売ログおよび広告情報またはそのタイトルをユーザ端末に送信したログを格納するログ格納部と、前記ログ格納部に保存されたログに基づいて、広告主に請求する広告料金および該広告料金の前記ユーザ端末の利用者への還元料を計算する計算手段とを備えることを特徴とする請求項２２記載のサーバ端末。
【請求項２５】
通信網を介してユーザ端末へイベントを通知する処理の代わりに、通知する前記イベントに対応する広告情報を前記ユーザ端末へ配信するサーバ端末において、
通知を希望するイベントをユーザ端末から通信網経由で受け付け、広告情報の一覧を通信網経由で前記ユーザ端末に送って表示させ、前記受け付けたイベントに対応する広告情報を前記ユーザ端末の利用者に選択させ、前記受け付けたイベントと前記選択された広告情報との組み合わせを前記ユーザ端末の情報と共にマッチングテーブルに登録する登録手段と、
前記選択された広告情報を確認のために通信網経由で前記ユーザ端末に送って表示させる確認手段と、
前記イベントの発生を認知するイベント認知手段と、
前記認知されたイベントに対応する広告情報が前記マッチングテーブルに登録されているユーザ端末が存在するかどうかを調べるマッチング手段と、
前記サーバ端末の配信制御手段が、前記認知されたイベントに対応する広告情報が前記マッチングテーブルに登録されているユーザ端末に対して、前記認知したイベントを通知する処理の代わりに、前記イベントに対応する広告情報を配信する配信制御手段と、
を備えることを特徴とするサーバ端末。
【請求項２６】
通信網を介してユーザ端末へイベントを通知する処理の代わりに、通知する前記イベントに対応する広告情報を前記ユーザ端末へ配信するサーバ端末において、
通知を希望するイベントをユーザ端末から通信網経由で受け付け、広告情報の一覧を通信網経由で前記ユーザ端末に送って表示させ、その表示ログを表示ログ格納部に格納し、前記受け付けたイベントに対応する広告情報を前記ユーザ端末の利用者に選択させ、前記受け付けたイベントと前記選択された広告情報との組み合わせを前記ユーザ端末の情報と共にマッチングテーブルに登録する登録手段と、
前記選択された広告情報を確認のために通信網経由で前記ユーザ端末に送って表示させ、その選択ログを選択ログ格納部に格納する確認手段と、
前記イベントの発生を認知するイベント認知手段と、
前記認知されたイベントに対応する広告情報が前記マッチングテーブルに登録されているユーザ端末が存在するかどうかを調べるマッチング手段と、
前記サーバ端末の配信制御手段が、前記認知されたイベントに対応する広告情報が前記マッチングテーブルに登録されているユーザ端末に対して、前記認知したイベントを通知する処理の代わりに、前記イベントに対応する広告情報を配信し、その配信ログを配信ログ格納部に格納する配信制御手段と、
前記表示ログ格納部、前記選択ログ格納部および前記配信ログ格納部に保存されたログに基づいて、広告主に請求する広告料金および該広告料金の前記ユーザ端末の利用者への還元料を計算する計算手段と、
を備えることを特徴とするサーバ端末。
【請求項２７】
通信網を介してユーザ端末へイベントを通知する処理の代わりに、通知する前記イベントに対応する広告情報を前記ユーザ端末へ配信するサーバ端末において、
広告枠を生成して広告主に広告枠を販売し、販売した広告枠に広告情報を割り当て、販売ログを販売ログ格納部に格納する広告枠管理手段と、
通知を希望するイベントをユーザ端末から通信網経由で受け付け、前記広告枠に広告情報またはそのタイトルを表示させた広告情報の一覧を通信網経由で前記ユーザ端末に送って表示させ、その表示ログを表示ログ格納部に格納し、前記受け付けたイベントに対応する広告情報を前記ユーザ端末の利用者に選択させ、前記受け付けたイベントと前記選択された広告情報との組み合わせを前記ユーザ端末の情報と共にマッチングテーブルに登録する登録手段と、
前記選択された広告情報を確認のために通信網経由で前記ユーザ端末に送って表示させ、その選択ログを選択ログ格納部に格納する確認手段と、
前記イベントの発生を認知するイベント認知手段と、
前記認知されたイベントに対応する広告情報が前記マッチングテーブルに登録されているユーザ端末が存在するかどうかを調べるマッチング手段と、
前記サーバ端末の配信制御手段が、前記認知されたイベントに対応する広告情報が前記マッチングテーブルに登録されているユーザ端末に対して、前記認知したイベントを通知する処理の代わりに、前記イベントに対応する広告情報を配信し、その配信ログを配信ログ格納部に格納する配信制御手段と、
前記販売ログ格納部、前記表示ログ格納部、前記選択ログ格納部および前記配信ログ格納部に保存されたログに基づいて、広告主に請求する広告料金および該広告料金の前記ユーザ端末の利用者への還元料を計算する計算手段と、
を備えることを特徴とするサーバ端末。
【請求項２８】
通信網を介してユーザ端末へイベントを通知する処理の代わりに、通知する前記イベントに対応する広告情報を前記ユーザ端末へ配信するサーバ端末を構成するコンピュータを、通知を希望するイベントを前記ユーザ端末から受け付ける登録手段、前記登録手段によって受け付けたイベントに対応する広告情報を前記ユーザ端末に送信して確認させる確認手段、として機能させるプログラム。
【発明の詳細な説明】
【技術分野】
【０００１】
本発明は、通信網を介してサーバ端末からユーザ端末へ広告情報を配信する広告配信方法及びシステムに関する。
【背景技術】
【０００２】
現在、インターネットや移動体通信網などの通信網の普及により、通信網を利用した広告の配信が盛んに行われている。典型的な広告の配信方法では、広告情報や広告情報を含む電子メール、メッセージおよびファイルなどを、サーバ端末から不特定多数のユーザ端末宛に配信する。また、バナー広告など、通信網上にある広告情報やこれを含んだページまたはファイルを、ユーザ端末からアクセスしてきた利用者に閲覧させる方法もある。ところが、広告情報や広告情報を含むメッセージなどを不特定多数のユーザ端末に配信する方法やバナー広告などでは、利用者に余り注目されなくて広告情報を全く見てもらえない場合が多いなど、広告主にとって、かかる費用に対して効果が小さいという問題がある。また、不特定多数のユーザ端末に広告情報を一方的に送り付ける方法では、場合によっては利用者に不快感を与えるという問題がある。そこで、本出願人は、広告の効果を高めることのできる以下のような新規かつ有用な広告配信方法（以下、従来の広告配信方法と称す）を既に提案した（例えば特許文献１参照）。
【０００３】
この従来の広告配信方法では、サーバ端末から通信網を介してユーザ端末へイベントを通知する処理の代わりに、通知するイベントに対応する広告情報をユーザ端末へ配信する。具体的には、サーバ端末において、通知を希望するイベントとそのイベントに対応する広告情報とをユーザ端末から予め受け付けてマッチングテーブルに設定しておき、ユーザ端末へ通知すべきイベントの発生をサーバ端末で認知し、認知したイベントを通信網を介してユーザ端末へ通知する処理の代わりに、通知するイベントに対応する広告情報をユーザ端末へ配信する。
【０００４】
また特許文献１には、サーバ端末が、ユーザ端末に対して広告情報を配信したとき、その広告情報の広告主に対して所定の料金を課金し、この課金による収益の全部または一部を、広告情報を配信したユーザ端末の利用者に還元する旨の記載がある。このように広告料金の一部あるいは全部を広告を見るユーザに還元するアイデアは、特許文献２にも記載されている。
【特許文献１】特開２００３−２４８７７９号公報
【特許文献２】特開２００２−１７００２７号公報
【発明の開示】
【発明が解決しようとする課題】
【０００５】
上述した従来の広告配信方法によれば、サーバ端末から通信網を介してユーザ端末へイベントを通知する処理の代わりに、通知するイベントに対応する広告情報がユーザ端末へ配信されるため、ユーザ端末の利用者にとって、配信される広告情報は付随的な情報でなく、通知されるイベントを知るために必要不可欠な情報となる。このため、利用者の注意を広告情報に引き付けることができ、広告の効果が最大限に発揮される。
【０００６】
しかしながら、かかる広告配信方法では、ユーザ端末に通知するイベントが発生しなければ、そのイベントに対応する広告情報をユーザ端末に配信できないため、広告の効果がイベントの発生の有無に左右されるという課題がある。また、イベントが発生せず広告情報が配信できないと広告料金をユーザに還元できないという課題もある。
【０００７】
本発明はこのような従来の広告配信方法の課題を解決するものであり、その目的は、イベントに対応する広告情報のユーザ端末への配信機会を増すことにより、広告の効果をより一層高めることにある。
【０００８】
本発明の別の目的は、ユーザ端末に通知するイベントが発生しない状況であっても、少なくとも１度はそのイベントに対応する広告情報をユーザ端末に配信する機会を設けることで、広告の効果を高め、また広告料金のユーザへの還元を可能にすることにある。
【課題を解決するための手段】
【０００９】
本発明の第１の広告配信方法は、サーバ端末から通信網を介してユーザ端末へイベントを通知する処理の代わりに、通知する前記イベントに対応する広告情報を前記サーバ端末から前記ユーザ端末へ配信する広告配信方法において、前記サーバ端末の登録手段が、通知を希望するイベントを前記ユーザ端末から受け付けるステップと、前記サーバ端末の確認手段が、前記登録手段によって受け付けたイベントに対応する広告情報を前記ユーザ端末に送信して確認させるステップと、を含むことを特徴とする。
【００１０】
本発明の第２の広告配信方法は、第１の広告配信方法において、前記登録手段は、イベントと広告情報またはそのタイトルの組みの一覧を前記ユーザ端末に送り、通知を希望するイベントと広告情報の組の選択を前記ユーザ端末から受け付けることを特徴とする。
【００１１】
本発明の第３の広告配信方法は、第１の広告配信方法において、前記サーバ端末の登録手段が、広告情報の一覧を前記ユーザ端末に送り、前記受け付けたイベントに対応する広告情報の選択を前記ユーザ端末から受け付けるステップ、を更に含むことを特徴とする。
【００１２】
本発明の第４の広告配信方法は、第３の広告配信方法において、前記サーバ端末の広告枠管理部が、広告枠を生成して広告主に広告枠を販売するステップを更に含み、前記広告情報の一覧は、前記広告枠に広告情報またはそのタイトルを表示させたものであることを特徴とする。
【００１３】
本発明の第５の広告配信方法は、第４の広告配信方法において、広告情報またはそのタイトルをユーザ端末に送信したログをログ格納部に保存するステップと、前記ログ格納部に保存されたログに基づいて、広告主に請求する広告料金および該広告料金の前記ユーザ端末の利用者への還元料を計算するステップと、を含むことを特徴とする。
【００１４】
本発明の第６の広告配信方法は、第４の広告配信方法において、広告枠の販売ログおよび広告情報またはそのタイトルをユーザ端末に送信したログをログ格納部に保存するステップと、前記ログ格納部に保存されたログに基づいて、広告主に請求する広告料金および該広告料金の前記ユーザ端末の利用者への還元料を計算するステップと、を含むことを特徴とする。
【００１５】
本発明の第７の広告配信方法は、サーバ端末の登録手段が、通知を希望するイベントをユーザ端末から通信網経由で受け付けるステップと、前記登録手段が、広告情報の一覧を通信網経由で前記ユーザ端末に送って表示させ、前記受け付けたイベントに対応する広告情報を前記ユーザ端末の利用者に選択させるステップと、前記サーバ端末の確認手段が、前記選択された広告情報を確認のために通信網経由で前記ユーザ端末に送って表示させるステップと、前記登録手段が、前記受け付けたイベントと前記選択された広告情報との組み合わせを前記ユーザ端末の情報と共にマッチングテーブルに登録するステップと、前記サーバ端末のイベント認知手段が、前記イベントの発生を認知するステップと、前記サーバ端末のマッチング手段が、前記認知されたイベントに対応する広告情報が前記マッチングテーブルに登録されているユーザ端末が存在するかどうかを調べるステップと、前記サーバ端末の配信制御手段が、前記認知されたイベントに対応する広告情報が前記マッチングテーブルに登録されているユーザ端末に対して、前記認知したイベントを通知する処理の代わりに、前記イベントに対応する広告情報を配信するステップと、を含むことを特徴とする。
【００１６】
本発明の第８の広告配信方法は、サーバ端末の登録手段が、通知を希望するイベントをユーザ端末から通信網経由で受け付けるステップと、前記登録手段が、広告情報の一覧を通信網経由で前記ユーザ端末に送って表示させ、その表示ログを表示ログ格納部に格納し、前記受け付けたイベントに対応する広告情報を前記ユーザ端末の利用者に選択させるステップと、前記サーバ端末の確認手段が、前記選択された広告情報を確認のために通信網経由で前記ユーザ端末に送って表示させ、その選択ログを選択ログ格納部に格納するステップと、前記登録手段が、前記受け付けたイベントと前記選択された広告情報との組み合わせを前記ユーザ端末の情報と共にマッチングテーブルに登録するステップと、前記サーバ端末のイベント認知手段が、前記イベントの発生を認知するステップと、前記サーバ端末のマッチング手段が、前記認知されたイベントに対応する広告情報が前記マッチングテーブルに登録されているユーザ端末が存在するかどうかを調べるステップと、前記サーバ端末の配信制御手段が、前記認知されたイベントに対応する広告情報が前記マッチングテーブルに登録されているユーザ端末に対して、前記認知したイベントを通知する処理の代わりに、前記イベントに対応する広告情報を配信し、その配信ログを配信ログ格納部に格納するステップと、前記表示ログ格納部、前記選択ログ格納部および前記配信ログ格納部に保存されたログに基づいて、広告主に請求する広告料金および該広告料金の前記ユーザ端末の利用者への還元料を計算するステップと、を含むことを特徴とする。
【００１７】
本発明の第９の広告配信方法は、サーバ端末の広告枠管理部が、広告枠を生成して広告主に広告枠を販売し、販売した広告枠に広告情報を割り当て、販売ログを販売ログ格納部に格納するステップと、サーバ端末の登録手段が、通知を希望するイベントをユーザ端末から通信網経由で受け付けるステップと、前記登録手段が、前記広告枠に広告情報またはそのタイトルを表示させた広告情報の一覧を通信網経由で前記ユーザ端末に送って表示させ、その表示ログを表示ログ格納部に格納し、前記受け付けたイベントに対応する広告情報を前記ユーザ端末の利用者に選択させるステップと、前記サーバ端末の確認手段が、前記選択された広告情報を確認のために通信網経由で前記ユーザ端末に送って表示させ、その選択ログを選択ログ格納部に格納するステップと、前記登録手段が、前記受け付けたイベントと前記選択された広告情報との組み合わせを前記ユーザ端末の情報と共にマッチングテーブルに登録するステップと、前記サーバ端末のイベント認知手段が、前記イベントの発生を認知するステップと、前記サーバ端末のマッチング手段が、前記認知されたイベントに対応する広告情報が前記マッチングテーブルに登録されているユーザ端末が存在するかどうかを調べるステップと、前記サーバ端末の配信制御手段が、前記認知されたイベントに対応する広告情報が前記マッチングテーブルに登録されているユーザ端末に対して、前記認知したイベントを通知する処理の代わりに、前記イベントに対応する広告情報を配信し、その配信ログを配信ログ格納部に格納するステップと、前記販売ログ格納部、前記表示ログ格納部、前記選択ログ格納部および前記配信ログ格納部に保存されたログに基づいて、広告主に請求する広告料金および該広告料金の前記ユーザ端末の利用者への還元料を計算するステップと、を含むことを特徴とする。
【００１８】
本発明の第１の広告配信システムは、サーバ端末から通信網を介してユーザ端末へイベントを通知する処理の代わりに、通知する前記イベントに対応する広告情報を前記サーバ端末から前記ユーザ端末へ配信する広告配信システムにおいて、前記サーバ端末は、通知を希望するイベントを前記ユーザ端末から受け付ける登録手段と、前記登録手段によって受け付けたイベントに対応する広告情報を前記ユーザ端末に送信して確認させる確認手段とを備えることを特徴とする。
【００１９】
本発明の第２の広告配信システムは、第１の広告配信システムにおいて、前記登録手段は、イベントと広告情報またはそのタイトルの組みの一覧を前記ユーザ端末に送り、通知を希望するイベントと広告情報の組の選択を前記ユーザ端末から受け付けるものであることを特徴とする。
【００２０】
本発明の第３の広告配信システムは、第１の広告配信システムにおいて、前記登録手段は、広告情報の一覧を前記ユーザ端末に送り、前記受け付けたイベントに対応する広告情報の選択を前記ユーザ端末から受け付けるものであることを特徴とする。
【００２１】
本発明の第４の広告配信システムは、第３の広告配信システムにおいて、前記サーバ端末は、広告枠を生成して広告主に広告枠を販売する広告枠管理手段を備え、前記広告情報の一覧は、前記広告枠に広告情報またはそのタイトルを表示させたものであることを特徴とする。
【００２２】
本発明の第５の広告配信システムは、第４の広告配信システムにおいて、前記サーバ端末は、広告情報またはそのタイトルをユーザ端末に送信したログを格納するログ格納部と、前記ログ格納部に保存されたログに基づいて、広告主に請求する広告料金および該広告料金の前記ユーザ端末の利用者への還元料を計算する計算手段とを備えることを特徴とする。
【００２３】
本発明の第６の広告配信システムは、第４の広告配信システムにおいて、前記サーバ端末は、広告枠の販売ログおよび広告情報またはそのタイトルをユーザ端末に送信したログを格納するログ格納部と、前記ログ格納部に保存されたログに基づいて、広告主に請求する広告料金および該広告料金の前記ユーザ端末の利用者への還元料を計算する計算手段とを備えることを特徴とする。
【００２４】
本発明の第７の広告配信システムは、サーバ端末から通信網を介してユーザ端末へイベントを通知する処理の代わりに、通知する前記イベントに対応する広告情報を前記サーバ端末から前記ユーザ端末へ配信する広告配信システムにおいて、前記サーバ端末は、通知を希望するイベントをユーザ端末から通信網経由で受け付け、広告情報の一覧を通信網経由で前記ユーザ端末に送って表示させ、前記受け付けたイベントに対応する広告情報を前記ユーザ端末の利用者に選択させ、前記受け付けたイベントと前記選択された広告情報との組み合わせを前記ユーザ端末の情報と共にマッチングテーブルに登録する登録手段と、前記選択された広告情報を確認のために通信網経由で前記ユーザ端末に送って表示させる確認手段と、前記イベントの発生を認知するイベント認知手段と、前記認知されたイベントに対応する広告情報が前記マッチングテーブルに登録されているユーザ端末が存在するかどうかを調べるマッチング手段と、前記サーバ端末の配信制御手段が、前記認知されたイベントに対応する広告情報が前記マッチングテーブルに登録されているユーザ端末に対して、前記認知したイベントを通知する処理の代わりに、前記イベントに対応する広告情報を配信する配信制御手段と、を備えることを特徴とする。
【００２５】
本発明の第８の広告配信システムは、サーバ端末から通信網を介してユーザ端末へイベントを通知する処理の代わりに、通知する前記イベントに対応する広告情報を前記サーバ端末から前記ユーザ端末へ配信する広告配信システムにおいて、前記サーバ端末は、通知を希望するイベントをユーザ端末から通信網経由で受け付け、広告情報の一覧を通信網経由で前記ユーザ端末に送って表示させ、その表示ログを表示ログ格納部に格納し、前記受け付けたイベントに対応する広告情報を前記ユーザ端末の利用者に選択させ、前記受け付けたイベントと前記選択された広告情報との組み合わせを前記ユーザ端末の情報と共にマッチングテーブルに登録する登録手段と、前記選択された広告情報を確認のために通信網経由で前記ユーザ端末に送って表示させ、その選択ログを選択ログ格納部に格納する確認手段と、前記イベントの発生を認知するイベント認知手段と、前記認知されたイベントに対応する広告情報が前記マッチングテーブルに登録されているユーザ端末が存在するかどうかを調べるマッチング手段と、前記サーバ端末の配信制御手段が、前記認知されたイベントに対応する広告情報が前記マッチングテーブルに登録されているユーザ端末に対して、前記認知したイベントを通知する処理の代わりに、前記イベントに対応する広告情報を配信し、その配信ログを配信ログ格納部に格納する配信制御手段と、前記表示ログ格納部、前記選択ログ格納部および前記配信ログ格納部に保存されたログに基づいて、広告主に請求する広告料金および該広告料金の前記ユーザ端末の利用者への還元料を計算する計算手段と、を備えることを特徴とする。
【００２６】
本発明の第９の広告配信システムは、サーバ端末から通信網を介してユーザ端末へイベントを通知する処理の代わりに、通知する前記イベントに対応する広告情報を前記サーバ端末から前記ユーザ端末へ配信する広告配信システムにおいて、前記サーバ端末は、広告枠を生成して広告主に広告枠を販売し、販売した広告枠に広告情報を割り当て、販売ログを販売ログ格納部に格納する広告枠管理手段と、通知を希望するイベントをユーザ端末から通信網経由で受け付け、前記広告枠に広告情報またはそのタイトルを表示させた広告情報の一覧を通信網経由で前記ユーザ端末に送って表示させ、その表示ログを表示ログ格納部に格納し、前記受け付けたイベントに対応する広告情報を前記ユーザ端末の利用者に選択させ、前記受け付けたイベントと前記選択された広告情報との組み合わせを前記ユーザ端末の情報と共にマッチングテーブルに登録する登録手段と、前記選択された広告情報を確認のために通信網経由で前記ユーザ端末に送って表示させ、その選択ログを選択ログ格納部に格納する確認手段と、前記イベントの発生を認知するイベント認知手段と、前記認知されたイベントに対応する広告情報が前記マッチングテーブルに登録されているユーザ端末が存在するかどうかを調べるマッチング手段と、前記サーバ端末の配信制御手段が、前記認知されたイベントに対応する広告情報が前記マッチングテーブルに登録されているユーザ端末に対して、前記認知したイベントを通知する処理の代わりに、前記イベントに対応する広告情報を配信し、その配信ログを配信ログ格納部に格納する配信制御手段と、前記販売ログ格納部、前記表示ログ格納部、前記選択ログ格納部および前記配信ログ格納部に保存されたログに基づいて、広告主に請求する広告料金および該広告料金の前記ユーザ端末の利用者への還元料を計算する計算手段と、を備えることを特徴とする。
【００２７】
本発明の第１のサーバ端末は、通信網を介してユーザ端末へイベントを通知する処理の代わりに、通知する前記イベントに対応する広告情報を前記ユーザ端末へ配信するサーバ端末において、通知を希望するイベントを前記ユーザ端末から受け付ける登録手段と、前記登録手段によって受け付けたイベントに対応する広告情報を前記ユーザ端末に送信して確認させる確認手段とを備えることを特徴とする。
【００２８】
本発明の第２のサーバ端末は、第１のサーバ端末において、前記登録手段は、イベントと広告情報またはそのタイトルの組みの一覧を前記ユーザ端末に送り、通知を希望するイベントと広告情報の組の選択を前記ユーザ端末から受け付けるものであることを特徴とする。
【００２９】
本発明の第３のサーバ端末は、第１のサーバ端末において、前記登録手段は、広告情報の一覧を前記ユーザ端末に送り、前記受け付けたイベントに対応する広告情報の選択を前記ユーザ端末から受け付けるものであることを特徴とする。
【００３０】
本発明の第４のサーバ端末は、第３のサーバ端末において、広告枠を生成して広告主に広告枠を販売する広告枠管理手段を備え、前記広告情報の一覧は、前記広告枠に広告情報またはそのタイトルを表示させたものであることを特徴とする。
【００３１】
本発明の第５のサーバ端末は、第４のサーバ端末において、広告情報またはそのタイトルをユーザ端末に送信したログを格納するログ格納部と、前記ログ格納部に保存されたログに基づいて、広告主に請求する広告料金および該広告料金の前記ユーザ端末の利用者への還元料を計算する計算手段とを備えることを特徴とする。
【００３２】
本発明の第６のサーバ端末は、第４のサーバ端末において、広告枠の販売ログおよび広告情報またはそのタイトルをユーザ端末に送信したログを格納するログ格納部と、前記ログ格納部に保存されたログに基づいて、広告主に請求する広告料金および該広告料金の前記ユーザ端末の利用者への還元料を計算する計算手段とを備えることを特徴とする。
【００３３】
本発明の第７のサーバ端末は、通信網を介してユーザ端末へイベントを通知する処理の代わりに、通知する前記イベントに対応する広告情報を前記ユーザ端末へ配信するサーバ端末において、通知を希望するイベントをユーザ端末から通信網経由で受け付け、広告情報の一覧を通信網経由で前記ユーザ端末に送って表示させ、前記受け付けたイベントに対応する広告情報を前記ユーザ端末の利用者に選択させ、前記受け付けたイベントと前記選択された広告情報との組み合わせを前記ユーザ端末の情報と共にマッチングテーブルに登録する登録手段と、前記選択された広告情報を確認のために通信網経由で前記ユーザ端末に送って表示させる確認手段と、前記イベントの発生を認知するイベント認知手段と、前記認知されたイベントに対応する広告情報が前記マッチングテーブルに登録されているユーザ端末が存在するかどうかを調べるマッチング手段と、前記サーバ端末の配信制御手段が、前記認知されたイベントに対応する広告情報が前記マッチングテーブルに登録されているユーザ端末に対して、前記認知したイベントを通知する処理の代わりに、前記イベントに対応する広告情報を配信する配信制御手段と、を備えることを特徴とする。
【００３４】
本発明の第８のサーバ端末は、通信網を介してユーザ端末へイベントを通知する処理の代わりに、通知する前記イベントに対応する広告情報を前記ユーザ端末へ配信するサーバ端末において、通知を希望するイベントをユーザ端末から通信網経由で受け付け、広告情報の一覧を通信網経由で前記ユーザ端末に送って表示させ、その表示ログを表示ログ格納部に格納し、前記受け付けたイベントに対応する広告情報を前記ユーザ端末の利用者に選択させ、前記受け付けたイベントと前記選択された広告情報との組み合わせを前記ユーザ端末の情報と共にマッチングテーブルに登録する登録手段と、前記選択された広告情報を確認のために通信網経由で前記ユーザ端末に送って表示させ、その選択ログを選択ログ格納部に格納する確認手段と、前記イベントの発生を認知するイベント認知手段と、前記認知されたイベントに対応する広告情報が前記マッチングテーブルに登録されているユーザ端末が存在するかどうかを調べるマッチング手段と、前記サーバ端末の配信制御手段が、前記認知されたイベントに対応する広告情報が前記マッチングテーブルに登録されているユーザ端末に対して、前記認知したイベントを通知する処理の代わりに、前記イベントに対応する広告情報を配信し、その配信ログを配信ログ格納部に格納する配信制御手段と、前記表示ログ格納部、前記選択ログ格納部および前記配信ログ格納部に保存されたログに基づいて、広告主に請求する広告料金および該広告料金の前記ユーザ端末の利用者への還元料を計算する計算手段と、を備えることを特徴とする。
【００３５】
本発明の第９のサーバ端末は、通信網を介してユーザ端末へイベントを通知する処理の代わりに、通知する前記イベントに対応する広告情報を前記ユーザ端末へ配信するサーバ端末において、広告枠を生成して広告主に広告枠を販売し、販売した広告枠に広告情報を割り当て、販売ログを販売ログ格納部に格納する広告枠管理手段と、通知を希望するイベントをユーザ端末から通信網経由で受け付け、前記広告枠に広告情報またはそのタイトルを表示させた広告情報の一覧を通信網経由で前記ユーザ端末に送って表示させ、その表示ログを表示ログ格納部に格納し、前記受け付けたイベントに対応する広告情報を前記ユーザ端末の利用者に選択させ、前記受け付けたイベントと前記選択された広告情報との組み合わせを前記ユーザ端末の情報と共にマッチングテーブルに登録する登録手段と、前記選択された広告情報を確認のために通信網経由で前記ユーザ端末に送って表示させ、その選択ログを選択ログ格納部に格納する確認手段と、前記イベントの発生を認知するイベント認知手段と、前記認知されたイベントに対応する広告情報が前記マッチングテーブルに登録されているユーザ端末が存在するかどうかを調べるマッチング手段と、前記サーバ端末の配信制御手段が、前記認知されたイベントに対応する広告情報が前記マッチングテーブルに登録されているユーザ端末に対して、前記認知したイベントを通知する処理の代わりに、前記イベントに対応する広告情報を配信し、その配信ログを配信ログ格納部に格納する配信制御手段と、前記販売ログ格納部、前記表示ログ格納部、前記選択ログ格納部および前記配信ログ格納部に保存されたログに基づいて、広告主に請求する広告料金および該広告料金の前記ユーザ端末の利用者への還元料を計算する計算手段と、を備えることを特徴とする。
【００３６】
本発明のプログラムは、通信網を介してユーザ端末へイベントを通知する処理の代わりに、通知する前記イベントに対応する広告情報を前記ユーザ端末へ配信するサーバ端末を構成するコンピュータを、通知を希望するイベントを前記ユーザ端末から受け付ける登録手段、前記登録手段によって受け付けたイベントに対応する広告情報を前記ユーザ端末に送信して確認させる確認手段、として機能させることを特徴とする。
【発明の効果】
【００３７】
本発明の第１の広告配信方法、広告配信システムおよびサーバ端末ならびにプログラムによれば、通知を希望するイベントの受け付け時、受け付けたイベントに対応する広告情報をユーザ端末に送信して確認させるため、通知するイベントが一度も発生しない状況となっても、少なくとも１度はそのイベントに対応する広告情報をユーザ端末に配信することができ、一定の広告効果が生じる。また、通知するイベントが発生した場合には、そのイベントの通知に代えて配信する場合を含め、少なくとも２度以上、同じ広告情報が配信されるため、広告の効果を高めることができる。さらに、イベントの通知に代えて送信する広告情報を利用者に事前に確認させることにより、後に配信する広告情報の意味の誤認を少なくすることができる。
【００３８】
本発明の第２の広告配信方法、広告配信システムおよびサーバ端末によれば、第１の広告配信方法、広告配信システムおよびサーバ端末で得られる効果に加えて更に、イベントと広告情報とが予め対応付けられているため、ユーザ端末の利用者にとっては、広告情報を選択する手間が省け、サーバ端末を運営するサービス事業者にとっては、所定の広告主の広告情報は所定のイベントに予め対応させておくことが可能となる。
【００３９】
本発明の第３の広告配信方法、広告配信システムおよびサーバ端末によれば、第１の広告配信方法、広告配信システムおよびサーバ端末で得られる効果に加えて更に、ユーザ端末の利用者は、通知を受けたいイベントに対して好きな広告情報を選択することが可能となる。
【００４０】
本発明の第４の広告配信方法、広告配信システムおよびサーバ端末によれば、第３の広告配信方法、広告配信システムおよびサーバ端末で得られる効果に加えて更に、イベントの通知に代えて配信を受けたい広告情報をユーザ端末の利用者に選択させる際に使用する広告情報一覧における広告枠を販売の対象とすることができる。
【００４１】
本発明の第５の広告配信方法、広告配信システムおよびサーバ端末によれば、第４の広告配信方法、広告配信システムおよびサーバ端末で得られる効果に加えて更に、イベントの通知に代えて配信する広告情報を利用者に選択させるためにユーザ端末に送信した広告情報一覧中の広告タイトルや、確認のためにユーザ端末に送信した広告情報について、更にイベントの通知に代えて配信した広告情報について、ログに基づいて広告主に広告料金を請求でき、その一部または全部を利用者に還元することができる。
【００４２】
本発明の第６の広告配信方法、広告配信システムおよびサーバ端末によれば、第４の広告配信方法、広告配信システムおよびサーバ端末で得られる効果に加えて更に、広告枠の販売について、および、イベントの通知に代えて配信する広告情報を利用者に選択させるためにユーザ端末に送信した広告情報一覧中の広告タイトルや、確認のためにユーザ端末に送信した広告情報について、更にイベントの通知に代えて配信した広告情報について、ログに基づいて広告主に広告料金を請求でき、その一部または全部を利用者に還元することができる。
【００４３】
本発明の第７の広告配信方法、広告配信システムおよびサーバ端末によれば、通知を希望するイベントの受け付け時、受け付けたイベントに対応する広告情報をユーザ端末に送信して確認させるため、通知するイベントが一度も発生しない状況となっても、少なくとも１度はそのイベントに対応する広告情報をユーザ端末に配信することができ、一定の広告効果が生じる。また、通知するイベントが発生した場合には、そのイベントの通知に代えて配信する場合を含め、少なくとも２度以上、同じ広告情報が配信されるため、広告の効果を高めることができる。さらに、イベントの通知に代えて送信する広告情報を利用者に事前に確認させることにより、後に配信する広告情報の意味の誤認を少なくすることができる。またさらに、ユーザ端末の利用者は、通知を受けたいイベントに対して好きな広告情報を選択することが可能となる。
【００４４】
本発明の第８の広告配信方法、広告配信システムおよびサーバ端末によれば、通知を希望するイベントの受け付け時、受け付けたイベントに対応する広告情報をユーザ端末に送信して確認させるため、通知するイベントが一度も発生しない状況となっても、少なくとも１度はそのイベントに対応する広告情報をユーザ端末に配信することができ、一定の広告効果が生じる。また、通知するイベントが発生した場合には、そのイベントの通知に代えて配信する場合を含め、少なくとも２度以上、同じ広告情報が配信されるため、広告の効果を高めることができる。さらに、イベントの通知に代えて送信する広告情報を利用者に事前に確認させることにより、後に配信する広告情報の意味の誤認を少なくすることができる。またさらに、ユーザ端末の利用者は、通知を受けたいイベントに対して好きな広告情報を選択することが可能となる。また、イベントの通知に代えて配信する広告情報を利用者に選択させるためにユーザ端末に送信した広告情報一覧中の広告タイトルや、確認のためにユーザ端末に送信した広告情報について、更にイベントの通知に代えて配信した広告情報について、ログに基づいて広告主に広告料金を請求でき、その一部または全部を利用者に還元することができる。
【００４５】
本発明の第９の広告配信方法、広告配信システムおよびサーバ端末によれば、通知を希望するイベントの受け付け時、受け付けたイベントに対応する広告情報をユーザ端末に送信して確認させるため、通知するイベントが一度も発生しない状況となっても、少なくとも１度はそのイベントに対応する広告情報をユーザ端末に配信することができ、一定の広告効果が生じる。また、通知するイベントが発生した場合には、そのイベントの通知に代えて配信する場合を含め、少なくとも２度以上、同じ広告情報が配信されるため、広告の効果を高めることができる。さらに、イベントの通知に代えて送信する広告情報を利用者に事前に確認させることにより、後に配信する広告情報の意味の誤認を少なくすることができる。またさらに、ユーザ端末の利用者は、通知を受けたいイベントに対して好きな広告情報を選択することが可能となる。また、広告枠の販売について、イベントの通知に代えて配信する広告情報を利用者に選択させるためにユーザ端末に送信した広告情報一覧中の広告タイトルや、確認のためにユーザ端末に送信した広告情報について、更にイベントの通知に代えて配信した広告情報について、ログに基づいて広告主に広告料金を請求でき、その一部または全部を利用者に還元することができる。
【発明を実施するための最良の形態】
【００４６】
次に本発明の実施の形態について図面を参照して詳細に説明する。
【００４７】
図１を参照すると、本発明の実施の形態にかかる広告配信システムは、サーバ端末１００と複数のユーザ端末２００とが、ＬＡＮ、ＷＡＮ、移動体通信網、インターネット等の通信網３００を通じて相互に通信可能に接続されている。
【００４８】
サーバ端末１００は、通知を希望するイベントを通信網３００を介してユーザ端末２００から受け付け、受け付けたイベントに対応する広告情報を通信網３００を介してユーザ端末２００に送信しユーザに事前に確認させる機能と、ユーザ端末２００へ通知すべきイベントの発生を認知し、認知したイベントを通信網３００を介してユーザ端末２００へ通知する処理の代わりに、認知したイベントに対応する広告情報をユーザ端末２００へ配信する機能とを持つ。
【００４９】
本発明において、イベントとは、装置、システム、プログラム、および人などによって、その発生を認知できる出来事ならば何でも良い。すなわち、特定の手段によって観測や測定することにより、その発生を認知できるもの（観測型イベント）であっても良いし、また、自らその発生を認知するものであっても良く（自発型イベント）、また、他のシステム、人、機能などから通知され発生を認知できるもの（通知型イベント）であっても良い。観測型イベントは、例えば、「雨が降りだした」という出来事であり、これは、天候観測装置の観測によりその発生を認知できるものである。自発型イベントは、例えば、「特定の時間になった」という出来事であり、これは、タイマーなどで設定時間になったということにより自発的にその発生を認知できるものである。通知型イベントは、例えば、「ある歌手の公演のチケットが発売開始になった」という出来事であり、これは、他のシステムであるチケット発売情報を取り扱うシステムから、その情報が、通信網などを通じて通知され、その発生を認知できるものである。なお、ここでは、イベントの種類を、観測型イベント、自発型イベント、通知型イベントに分類したが、本発明においてイベントの種類を特定することは重要でなく、要するに、前述したように、装置、システム、プログラム、および人などによって、その発生を認知できる出来事ならば何でも本発明における「イベント」として扱うことができるものである。
【００５０】
また、本発明において、その発生を認知し、イベントとする出来事の起こり方については何でも良い。すなわち、出来事の発生、出来事の停止、出来事の継続の開始、出来事の継続の停止、出来事の一定期間や一定回数の継続、出来事の一定期間や一定回数の停止などである。出来事の発生とは、例えば、「踏切事故の発生」という出来事である。出来事の停止とは、例えば、「列車の運行の停止」という出来事である。出来事の継続の開始とは、例えば、「継続的に降るであろう雨が降り始めた」という出来事である。出来事の継続の停止とは、例えば、「降っていた雨が止んだ」という出来事である。出来事の一定期間や一定回数の継続とは、例えば、「雨が１時間降り続いた」という出来事である。出来事の一定期間や一定回数の停止とは、「列車の運行の停止が１時間継続した」という出来事である。
【００５１】
また、イベントの発生は、サーバ端末１００が、イベントの発生を検索して認知するようにしてもよい。また、例えば、イベント発生検出部を用意し、通信網３００内の他のサーバを一定の間隔で検索することによってサーバ端末１００に通知するようにしてもよい。また、通信網３００内において人手により入力されたイベントを監視し、サーバ端末１００に通知するようにしてもよい。また、他の情報提供サーバが、通信網３００上においてイベントの発生を監視し、サーバ端末１００に通知するようにしてもよい。
【００５２】
さらに、上述したイベントを複数、論理的に結合した条件も、また、１つのイベントとして扱うことができる。複数のイベントの論理的な条件とは、論理積、論理和、論理否定およびその組み合わせである。例えば、「雨が１時間降り続いた」というイベントと、「列車の運行の停止が１時間継続した」というイベントの論理積である「雨が１時間降り続き、且つ、列車の運行の停止が１時間継続した」というイベントも、１つのイベントとして、その発生を認知するようにしても良い。このような認知機能は、通常の論理回路やプログラム処理などにより実現することができる。
【００５３】
次に、本発明において、広告情報とは、或る商品やサービス、催し物等を宣伝するための情報である。情報の種類は任意であり、テキスト、静止画像、動画像、音声、音楽などの何れか１つまたはこれらの任意の組み合わせとすることができる。
【００５４】
次に、イベントと広告情報の対応付けは、１：１、つまり、１つのイベントに対して１つの広告情報を対応付けても良いし、１：ｎ、つまり、１つのイベントに対して複数の広告情報を対応付けるようにしても良い。また、ｎ：１、つまり、複数のイベントの論理的な条件に対して１つの広告情報を対応付けても良いし、ｎ：ｎ、つまり、複数のイベントの論理的な条件に対して複数の広告情報を対応付けるようにしても良い。ここで、複数のイベントの論理的な条件とは、論理積、論理和、論理否定およびその組み合わせである。例えば、或るイベントＡと別のイベントＢとの論理積条件に対して、或る１つ或いは複数の広告情報を対応付ける如きである。なお、ここで言うイベントＡ、Ｂには、イベントの説明箇所で説明したような、イベントを複数、論理的に結合した条件で規定されるイベントも当然含めることができる。つまり、例えばイベントＡが、或るイベントＡ１と別のイベントＡ２との論理積などとしてのイベントである如きである。
【００５５】
イベントと広告情報の対応付けは、サーバ端末１００の管理者や広告主などユーザ端末２００の利用者以外の者が行い、その対応関係をサーバ端末１００に対応情報として設定しておいても良い。また、１つのユーザ端末２００毎または複数のユーザ端末２００から構成されるユーザグループ毎に、そのユーザ端末２００またはそのユーザグループ独自のイベントと広告情報の対応付けを、そのユーザ端末２００またはそのユーザグループのユーザ自身に行わせるようにしても良い。更に、一部のイベントと広告情報との対応付けはサーバ端末１００の管理者や広告主などで事前に行い、残りのイベントと広告情報との対応付けはユーザ端末２００の利用者がイベント登録時に行うようにしても良い。
【００５６】
次に、配信による広告情報の送信を１度だけ行うか、継続して行うか、その継続の態様を如何にするかは任意である。つまり、広告情報の送信は１度だけ行うようにしても良いし、広告情報の送信を継続して行うようにしても良い。また、広告情報の送信を継続して行う場合に時間的制限を設け、予め定められた一定時間だけ継続させても良いし、イベントが発生している期間だけ継続させるようにしても良い。さらに、継続する態様として、連続して送信するようにしても良いし、周期的に送信を繰り返すようにしても良いし、断続して送信を繰り返すようにしても良いし、不定期、不連続に送信を繰り返すようにしても良い。また、本実施の形態では、通知するイベントに対応する広告情報を通信網３００を介してユーザ端末２００へ送信しているが、ユーザ端末２００に予め１つまたは複数の広告情報を記憶させておき、サーバ端末１００が、ユーザ端末２００に予め記憶された１つまたは複数の広告情報のうち、通知するイベントに対応する広告情報の再生要求を、通信網３００を介してユーザ端末２００へ送信することで、広告情報をユーザに提示する構成も本発明における「配信」の範疇に含まれるものである。
【００５７】
次に、ユーザ端末２００の機能について説明する。
【００５８】
ユーザ端末２００は、通知を希望するイベントの登録を通信網３００経由でサーバ端末１００へ要求する機能と、サーバ端末１００が受け付けたイベントに対応する広告情報を確認のために送信してきたときにこの広告情報を受信してユーザに提示する機能と、サーバ端末１００が自端末２００へイベントを通知する処理の代わりに、通知するイベントに対応する広告情報が自端末２００へ配信されてきたときに、この配信された広告情報を受信して利用者に提示する機能とを持つ。受信した広告情報を直ちに表示、出力して利用者に提示しても良いし、ユーザ端末２００の記憶装置に記憶しておき、利用者からの指示を待って提示するようにしても良い。その際、広告情報に所定の制御情報を含ませることで、この広告情報を受信したユーザ端末２００において、例えば広告情報を記憶装置に保存しておき、暗証番号が入力されるなどの特定の操作による情報入力がなされることで、例えば広告が表示されるなど、ユーザ端末２００において利用者による視聴を可能な状態にするようにしてもよい。また、これらのことを、ユーザ端末２００側に所定の制御機能を持たせることで実現するようにしてもよい。このようにすることで、ユーザ端末２００の利用者が、広告情報を受信した時点で視聴できないような場合にも対応することが可能になる。なお、ユーザ端末２００に予め記憶された複数の広告情報のうち、通知するイベントに対応する広告情報の再生要求が通信網３００を介してサーバ端末１００から送信されてきたときは、再生要求で指定された広告情報を自端末２００の記憶装置から読み出して表示、出力するなどの再生処理を行う。
【００５９】
次に本実施の形態にかかる広告配信システムの動作について図１および図２を参照して説明する。
【００６０】
ユーザ端末２００の利用者が、通知を希望するイベントの登録要求をユーザ端末２００から通信網３００経由でサーバ端末１００に送信すると（Ｓ２０１）、サーバ端末１００は、ユーザ端末２００の利用者が通知を希望したイベントを自サーバに登録する（Ｓ１０１）。そして、そのイベントに対応するものとしてシステムで予め定められた広告情報或いは利用者によって選択された広告情報を通信網３００経由でユーザ端末２００へ送信し（Ｓ１０２）、ユーザ端末２００はこの広告情報を受信してユーザに提示する（Ｓ２０２）。これにより、イベントに対応する広告情報の内容を利用者が認識できる。このとき、サーバ端末１００は、ユーザ端末２００に対して当該広告情報を送信した旨のログを記録する（Ｓ１０３）。
【００６１】
その後、ユーザ端末２００の利用者に通知すべきイベントが発生すると（Ｓ１０４）、サーバ端末１００は、発生したイベントを認知し（Ｓ１０５）、認知したイベントに対応する広告情報を通信網３００経由でユーザ端末２００に対して配信し（Ｓ１０６）、ユーザ端末２００に対して当該広告情報を配信した旨のログを記録する（Ｓ１０７）。ユーザ端末２００は、サーバ端末１００から配信されてきた広告情報を受信し、利用者に提示する（Ｓ２０３）。これにより、ユーザ端末２００の利用者は、発生したイベントを知ることができる。
【００６２】
サーバ端末１００は、ユーザ端末２００に対して広告情報を配信したログ記録に基づいて、広告情報の広告主に対して所定の料金を課金し、この課金による収益の全部または一部を、広告情報を配信したユーザ端末２００の利用者に還元する（Ｓ１０８）。還元方法は、イベント通知にかかる情報料や通信費、イベント登録時にかかる通信費を割り引いたり、無料化するなどの方法以外に、ポイントやキャッシュバックを与える方法など任意の方法を用いることができる。
【００６３】
このように本実施の形態によれば、サーバ端末は通知を希望するイベントをユーザ端末から受け付けた際、そのイベントに対応する広告情報をユーザ端末に送信して利用者に確認させるため、ユーザ端末に通知するイベントが発生しない状況であっても、少なくとも１度はそのイベントに対応する広告情報がユーザ端末に配信される。そして、ユーザ端末の利用者にとって、このように送信されてくる広告情報は自身が登録したイベントが発生した場合にその通知に代えて配信されてくる大切な広告情報であるため、その中身を良く見て覚えておく必要がある。これにより広告の効果を高めることができ、またイベントが発生しない場合であっても広告料金のユーザへの還元が可能となる。さらに、イベントの通知に代えて送信する広告情報を利用者に事前に確認させることにより、後に配信される広告情報の意味の誤認を少なくすることができる。
【実施例１】
【００６４】
図３を参照すると、サーバ端末１００の一実施例は、広告枠管理部１０１、イベント登録部１０２、広告情報確認部１０３、イベント認知部１０４、マッチング部１０５、配信制御部１０６、課金計算部１０７および還元計算部１０８の各機能手段を備え、イベント一覧格納部１１１、広告枠情報格納部１１２、広告情報格納部１１３、マッチングテーブル１１４、販売ログ格納部１１５、表示ログ格納部１１６、選択ログ格納部１１７および配信ログ格納部１１８の各記憶手段を備えている。また、通信網３００には、サーバ端末１００およびユーザ端末２００に加えて、広告主端末４００および通信事業者端末５００が接続されている。
【００６５】
サーバ端末１００の上記各記憶手段は、サーバ端末１００を構成するコンピュータの主記憶装置あるいは磁気ディスク等の補助記憶装置で実現することができる。また、サーバ端末１００の上記各機能手段は、サーバ端末１００を構成するコンピュータとサーバプログラムとで実現することができる。サーバプログラムは磁気ディスク等のコンピュータ可読記録媒体に記憶されて提供され、サーバ端末１００を構成するコンピュータの起動時に中央処理装置に読み取られ、そのコンピュータの動作を制御することにより、そのコンピュータ上に上述した各機能手段を実現する。
【００６６】
広告枠管理部１０１は、図４に示すように、広告枠の生成（Ｓ３０１）と生成した広告枠の販売（Ｓ３０２）を管理する。本実施例では、ユーザ端末２００の利用者が、通知を受けたいイベントをサーバ端末１００に登録する際、図５（ａ）に示すように、サーバ端末１００から送信されてユーザ端末２００の画面に表示される広告情報の一覧１２１から広告情報を選択するように構成されており、この広告情報の一覧１２１中の各広告情報１２２の表示場所が、図５（ｂ）に示すようにそれぞれ１つの広告枠１２３になっている。図５（ｂ）では、３つの広告枠１２３が例示されているが、広告枠の個数は任意である。また、１頁に納まらない場合、複数頁に分散して広告枠が配置される。広告枠管理部１０１は、このような広告枠に関する情報を生成し、広告枠情報格納部１１２に登録する。
【００６７】
広告枠情報格納部１１２には、例えば各広告枠毎に、図６に示すように、広告枠ＩＤ１１２１、当該広告枠が何頁目に表示されるかを示す頁番号１１２２、頁内での当該広告枠の頁内順序１１２３、当該広告枠の販売価格１１２４、当該広告枠を購入した広告主を一意に識別する購入広告主１１２５、当該広告枠にアサインされた広告情報を一意に識別する割当広告ＩＤ１１２６および当該広告枠の広告タイトル１１２７の各項目を含むレコードが記憶される。広告枠管理部１０１は、広告枠の生成時、生成した各広告枠毎に、図６に示す項目を持つレコードを生成し、その広告枠ＩＤ１１２１、頁番号１１２２、頁内順序１１２３および販売価格１１２４の各項目に値を設定し、購入広告主１１２５、割当広告ＩＤ１１２６および広告タイトル１１２７はＮＵＬＬにしておく。販売価格１１２４は、利用者の目に触れ易い頁、頁内順序かどうか等により差別化することができる。
【００６８】
広告枠管理部１０１は、生成した広告枠を広告主に販売する。販売方法は任意であり、例えばホームページ上で公開した広告枠に対して広告主端末４００からの購入の申し込みを受信する方法である。広告枠管理部１０１は、広告枠が売れる毎に、その広告枠に対応する図６に示したレコードの購入広告主１１２５に当該広告枠を購入した広告主の情報を登録し、割当広告ＩＤ１１２６に当該広告枠に表示する広告情報を一意に識別するＩＤを設定し（広告情報のアサイン）、広告タイトル１１２７にその広告情報のタイトルを設定し、その広告情報をそのＩＤに対応付けて広告情報格納部１１３に登録する。また、広告枠ＩＤ１１２１と販売価格１１２４と購入広告主１１２５とを含む販売ログを、販売ログ格納部１１５に格納する。
【００６９】
イベント登録部１０２は、広告枠の販売が終了し、販売された広告枠に広告情報がアサインされた後、ユーザ端末２００からのイベント登録の受け付けを開始する。イベント登録部１０２は、ユーザ端末２００からイベント登録のためにログインされる毎に図７に示す処理を実行する。
【００７０】
先ず、イベント登録部１０２は、イベント一覧格納部１１１に格納されているイベントの一覧を表示した図８に示すようなイベント選択画面１３１をユーザ端末２００に送ってその表示装置に表示させ（ステップＳ４０１）、イベントの選択情報がユーザ端末２００から送られてくるのを待つ。図８では、４つのイベントが表示されているが、イベントの個数は任意であり、また、１頁に納まらない場合、複数頁に分散してイベントが表示される。利用者が、イベント選択画面１３１上で、通知を受けたいイベントを選択し、同画面上の送信ボタンを操作すると、選択されたイベントの情報がユーザ端末２００からサーバ端末１００に送られ、イベント登録部１０２で受信され、一時的に保存される（ステップＳ４０２）。
【００７１】
次にイベント登録部１０２は、広告枠情報格納部１１２に格納された各広告枠の広告タイトル１１２７を広告枠の順番に並べた広告情報一覧を生成し、ユーザ端末２００に送ってその表示装置に表示させる（ステップＳ４０３）。これにより、図５（ａ）で説明したようにユーザ端末２００に広告情報一覧１２１が表示される。このときイベント登録部１０２は、ユーザ端末２００を一意に識別するユーザＩＤと、今回表示した広告情報一覧１２１に広告タイトルが載せられている広告ＩＤ（割当広告ＩＤ１１２６）とを含む表示ログを、表示ログ格納部１１６に格納する。そして、広告選択情報がユーザ端末２００から送られてくるのを待つ。なお、広告情報一覧中の次頁ボタンなどによって頁切替えが要求された場合には、次頁の広告情報一覧を生成し、ユーザ端末２００に送って表示させ、表示ログを記録する。
【００７２】
利用者が、広告情報一覧１２１上で、広告を選択し、同画面上の送信ボタンを操作すると、選択された広告情報がユーザ端末２００からサーバ端末１００に送られ、イベント登録部１０２で受信され、一時的に保存される（ステップＳ４０４）。イベント登録部１０２は、選択された広告情報のＩＤ（割当広告ＩＤ）を広告情報確認部１０３に通知し、広告情報確認部１０３は、通知された広告情報ＩＤを持つ広告情報の内容を広告情報格納部１１３から読み出し、それを表示した広告情報確認画面を生成し、ユーザ端末２００に送ってその表示装置に表示させる（ステップＳ４０５）。これにより、ユーザ端末２００の画面に、利用者が選択した広告タイトルを持つ広告情報の中身が表示される。このとき、広告情報確認部１０３は、ユーザ端末２００を一意に識別するユーザＩＤと、今回表示した広告情報のＩＤとを含む選択ログを、選択ログ格納部１１７に格納する。そして、イベント登録部１０２は、確認通知がユーザ端末２００から送られてくるのを待つ。
【００７３】
利用者が、ユーザ端末２００の画面に表示された広告情報を認識し、同画面上の確認ボタンを操作すると、確認通知がユーザ端末２００からサーバ端末１００へ送られ、イベント登録部１０２で受信される（ステップＳ４０６）。イベント登録部１０２は、確認通知を受信すると、ユーザ端末２００から受け付けたイベントと広告情報との組み合わせをマッチングテーブル１１４に登録する（ステップＳ４０７）。
【００７４】
図９を参照すると、マッチングテーブル１１４の一例は、ｎ行ｋ列の２次元マトリクステーブルであり、第１行〜第ｎ行の各行にそれぞれ１つのイベント情報ｅ1〜ｅnが設定され、第１列〜第ｋ列の各列にそれぞれ１つのユーザ端末を特定する情報ｕ1〜ｕkが設定され、各行と各列の交点にそれぞれ１つの対応情報ａujei(ｉ＝１、…、ｎ。ｊ＝１、…、ｋ)が設定されている。任意の複数のａujeiは、同一のものであってもかまわない。
【００７５】
対応情報ａujeiは、広告情報格納部１１３に格納されている広告情報Ａujeiを示す値か、広告配信しない旨を示す値の何れかである。例えば、イベント情報ｅiが発生した場合、ユーザ端末ｕjに広告情報Ａujeiを配信するならば、その広告情報Ａujeiを示す対応情報ａujeiがｅi行、ｕj列に格納され、広告情報を配信しないならば、広告情報を配信しない旨を示す対応情報ａujeiがｅi行、ｕj列に格納されている。つまり、図９のマッチングテーブル１１４は、或るイベントが発生した場合に、或るユーザ端末に、どの広告情報を配信するか、もしくは広告情報を配信しないかを示すテーブルである。或るイベントの発生時に広告情報を配信しない場合があるのは、そのイベントの通知をそのユーザ端末の利用者が要求していない場合があるからである。
【００７６】
イベント認知部１０４、マッチング部１０５および配信制御部１０６は、ユーザ端末２００へ通知すべきイベントの発生を認知し、認知したイベントを通信網３００を介してユーザ端末２００へ通知する処理の代わりに、通知するイベントに対応する広告情報をユーザ端末２００へ配信する処理を行う。以下、図９のマッチングテーブル１１４を例に、イベントの通知に代えて、広告情報を配信する動作について、図１０および図１１を参照して詳細に説明する。
【００７７】
サーバ端末１００のイベント認知部１０４は、観測、測定などによる検出、もしくは自ら発生、もしくは他のシステム、人、機能などからの通知により、イベントｅ1〜ｅnの発生を認知する処理を行っている。今、或るイベント、例えばイベントｅiが発生したとすると（Ｓ５０１）、イベント認知部１０４はこれを認知し、そのイベント情報ｅiをマッチング部１０５に伝達する（Ｓ５０２）。
【００７８】
マッチング部１０５は、イベント認知部１０４からイベント情報ｅiが伝達されると、ユーザ端末２００を１つ１つ注目するための変数ｊを１に設定して、先ず、マッチングテーブル１１４の列ｕ1のユーザ端末２００に注目し（Ｓ５０３）、その列ｕ1とイベント情報ｅiの行との交点の対応情報ａu1eiを取得し（Ｓ５０４）、これとユーザ端末２００の情報ｕ1との組（ｕ1、ａu1ei）を配信制御部１０６に伝達する（Ｓ５０５）。
【００７９】
配信制御部１０６は、マッチング部１０５からユーザ端末２００を示す情報と対応情報との組（ｕ1、ａu1ei）が伝達されると、対応情報ａu1eiが広告配信しない旨の値でなく広告情報Ａu1eiを示すものであれば、広告情報格納部１１３から、対応情報ａu1eiが示す広告情報Ａu1eiを取り出し、通信網３００を介し、情報ｕjで特定されるユーザ端末２００に配信する（Ｓ５０６）。このとき配信制御部１０６は、ユーザ端末２００を一意に識別するユーザＩＤと、今回配信した広告情報のＩＤとを含む配信ログを、配信ログ格納部１１８に格納する。ユーザ端末２００は、サーバ端末１００の配信制御部１０６から通信網３００を介して広告情報Ａu1eiが送信されてくると、これを受信し、表示装置に表示することで利用者に視聴させる。これにより、ユーザ端末２００の利用者は、イベントｅiが発生したことを知ることができる。
【００８０】
配信制御部１０６は、ステップＳ５０６の処理を終えると、制御をマッチング部１０５に戻す。他方、配信制御部１０６は、対応情報ａu1eiが広告配信しない旨の値であれば、ステップＳ５０６の処理をスキップして、制御をマッチング部１０５に戻す。これにより、イベントｅiの通知を希望しないユーザ端末２００には広告の配信は行われない。
【００８１】
マッチング部１０５は、配信制御部１０６から制御が戻されると、変数ｊを＋１し（Ｓ５０７）、変数ｊの値がマッチングテーブル１１４に登録されている列数ｋ（ユーザ端末数）を超えたかどうかを判定する（Ｓ５０８）。超えていなければ、ステップＳ５０４に戻って、マッチングテーブル１１４の次の列ｕ2のユーザ端末２００に注目を移し、上述した処理と同様の処理を繰り返す。そして、マッチングテーブル１１４に登録されている全てのユーザ端末２００に対して上述した処理を繰り返し、変数ｊがｋを超えると、今回認知したイベントｅiの処理を終える（Ｓ５０９）。
【００８２】
なお、以上の説明では、対応情報が広告配信しない値であるかどうかを配信制御部１０６で判別したが、マッチング部１０５で判別し、広告配信しない対応情報であればステップＳ５０５およびＳ５０６をスキップするようにしても良い。
【００８３】
次に、月末などの予め定められた時期が到来したとき、課金計算部１０７は、販売ログ格納部１１５、表示ログ格納部１１６、選択ログ格納部１１７および配信ログ格納部１１８に記録されたログを入力し、各広告主に請求する広告料金を計算する。１つの広告枠当たりの広告料金の計算例を次式に示す。
広告料金
＝広告枠購入代金＋表示回数×単価ａ１＋選択回数×単価ａ２＋配信回数×単価ａ３
…（１）
【００８４】
ここで、広告枠購入代金は広告枠の販売価格、表示回数は当該広告枠にアサインされた広告情報の広告タイトルを含む広告情報一覧をユーザ端末２００に表示した回数、単価ａ１は１表示当たりの料金、選択回数は広告情報一覧から利用者が選択した広告情報を確認のためにユーザ端末２００に送信した回数、単価ａ２は１選択当たりの料金、配信回数は当該広告枠にアサインされた広告情報のユーザ端末２００への配信回数、単価ａ３は１配信当たりの料金である。
【００８５】
課金計算部１０７は、各広告主毎に計算した広告料金を、電子メールなどを使って、各広告主端末４００に通知する。各広告主は、銀行振込などの方法で、請求された広告料金の支払いを行う。
【００８６】
還元計算部１０８は、表示ログ格納部１１６、選択ログ格納部１１７および配信ログ格納部１１８に記録されたログを入力し、各ユーザ端末２００の利用者毎に還元する金額を計算する。１ユーザ当たりの還元額の計算例を次式に示す。
還元額
＝表示回数×単価ｂ１＋選択回数×単価ｂ２＋配信回数×ｂ３
…（２）
【００８７】
ここで、表示回数は当該利用者のユーザ端末２００に対して表示された広告情報一覧中の広告タイトルの表示回数、単価ｂ１は１広告タイトル表示当たりの還元額、選択回数は当該利用者のユーザ端末２００に対して確認のために広告情報を送信した回数、単価ｂ２は１選択当たりの還元額、配信回数は当該利用者のユーザ端末２００に対してイベント通知に代えて広告情報を配信した回数、単価ｂ３は１配信当たりの還元額である。ここで、ａ１＝ｂ１、ａ２＝ｂ２、ａ３＝ｂ３とすると、広告主から徴収した表示、選択、配信にかかる広告料金の全てを利用者に還元することになる。
【００８８】
また、上記の計算例では、広告主から徴収した広告枠代金を利用者に還元していないが、還元計算部１０８が販売ログ格納部１１５から各広告枠の販売価格を入力し、広告枠代金の一部または全部を利用者に還元するようにしても良い。
【００８９】
還元計算部１０８は、各ユーザ端末２００の利用者毎に計算した還元額を、通信網３００を運営する通信事業者の端末５００に通知し、また別途、銀行振込などの方法で、還元額の総和をその通信事業者に支払う。通信事業者は、各利用者の還元額だけ、各利用者の通信料金を減額する。図１２はこの場合のお金の流れを示している。サーバ端末１００を使ってイベント通知サービスを行っているサービス事業者は、広告主から広告費を徴収し、その一部または全部を通信事業者にユーザの通信費として還元する。ユーザはイベント登録やイベント通知（広告配信）のためにサーバ端末１００と通信した際の通信料を通信事業者に支払うが、サービス事業者から通信事業者に支払われた還元料だけ還元されるため、イベント通知にかかる情報量・通信費、イベント登録のための通信料が減額され、あるいは実質的に無料になる。
【００９０】
なお、ユーザへの還元方法は、図１３に示すように、還元料に応じてポイントやキャッシュバックをユーザに与えるようにしても良い。また、還元料やポイントは、ユーザ端末２００に蓄積されるようにしても良い。
【００９１】
以上の実施例では、通知を受けたいイベントの登録時、ユーザ端末２００の利用者がそのイベントに対応する広告情報を選択するようにしたが、イベントとそれに対応する広告情報とを予めシステム側で対応させておき、ユーザ端末２００の利用者が通知を受けたいイベントを選択したら、そのイベントに対応する広告情報が自動的に定まるようにしておくこともできる。この場合、イベント選択画面にはイベントとそれに対応する広告情報あるいはその広告タイトルの組が表示され、ユーザ端末２００の利用者が何れかのイベントを選択すると、その選択されたイベントに対応する広告情報が確認のためにユーザ端末２００に送信される。
【００９２】
また以上の実施例では、広告情報選択画面には広告情報のタイトルを表示したが、広告情報そのものを表示させるようにしても良いし、一部の広告枠には広告情報そのものを表示し、残りの広告枠には広告のタイトルだけを表示するようにしても良い。
【図面の簡単な説明】
【００９３】
【図１】本発明の実施の形態にかかる広告配信システムのブロック図である。
【図２】本発明の実施の形態にかかる広告配信システムの動作例を示すフローチャートである。
【図３】本発明の一実施例にかかるサーバ端末のブロック図である。
【図４】広告枠管理部の処理例を示すフローチャートである。
【図５】広告枠および広告情報選択画面の説明図である。
【図６】広告枠情報格納部に格納されるレコードのフォーマット例を示す図である。
【図７】イベント登録部の処理例を示すフローチャートである。
【図８】イベント選択画面の一例を示す図である。
【図９】マッチングテーブルの一例を示す図である。
【図１０】イベントの通知に代えて、広告情報を配信する動作の説明図である。
【図１１】イベントの通知に代えて、広告情報を配信する処理のフローチャートである。
【図１２】広告主、サービス事業者、通信事業者、ユーザ間のお金の流れを示す図である。
【図１３】ユーザへの別の還元方法の説明図である。
【符号の説明】
【００９４】
１００…サーバ端末
１０１…広告枠管理部
１０２…イベント登録部
１０３…広告情報確認部
１０４…イベント認知部
１０５…マッチング部
１０６…配信制御部
１０７…課金計算部
１０８…還元計算部
１１１…イベント一覧格納部
１１２…広告枠情報格納部
１１３…広告情報格納部
１１４…マッチングテーブル
１１５…販売ログ格納部
１１６…表示ログ格納部
１１７…選択ログ格納部
１１８…配信ログ格納部
２００…ユーザ端末
３００…通信網
４００…広告主端末
５００…通信事業者端末
【図１】
2005156732.tif 000003
【図２】
2005156732.tif 000004
【図３】
2005156732.tif 000005
【図４】
2005156732.tif 000006
【図５】
2005156732.tif 000007
【図６】
2005156732.tif 000008
【図７】
2005156732.tif 000009
【図８】
2005156732.tif 000010
【図９】
2005156732.tif 000011
【図１０】
2005156732.tif 000012
【図１１】
2005156732.tif 000013
【図１２】
2005156732.tif 000014
【図１３】
2005156732.tif 000015